【手続補正書】
【提出日】平成17年7月12日(2005.7.12)
【手続補正１】
【補正対象書類名】特許請求の範囲
【補正対象項目名】全文
【補正方法】変更
【補正の内容】
【特許請求の範囲】
【請求項１】
ビデオ圧縮システムにおいてビデオフレームを符号化するための方法であって、  ビデオフレームに対応する入力画像であって所定のビット数により表されるサンプルを含む入力画像を受け取るステップと、  第１の符号化モード及び第２の符号化モードを含む複数の符号化モードを提供するステップと、  前記第１の符号化モードに対応する第１のバイアス値及び前記第２の符号化モードに対応するとともに同第１のバイアス値と異なる第２のバイアス値を含む複数のバイアス値を提供するステップと、  前記入力画像の前記サンプルを表す前記ビット数の関数として前記複数のバイアス値のそれぞれをスケーリングするステップと、  前記第１のバイアス値と一致基準とを足すステップを含み、前記第１の符号化モードに対応する第１の符号化モードの合計を提供するステップと、  前記第２のバイアス値と一致基準とを足すステップを含み、前記第２の符号化モードに対応する第２の符号化モードの合計を提供するステップと、  前記第１の符号化モードの合計及び前記第２の符号化モードの合計を含む複数の符号化モードの合計の最小値を選択するステップを含み、前記複数の符号化モードから好ましい符号化モードを選択するステップと、を含む方法。
【請求項２】
前記入力画像の前記サンプルを表す前記ビット数は、１０ビットである請求項１の方法。
【請求項３】
前記ビデオ圧縮システムは、ＭＰＥＧ−２ビデオ圧縮システムである請求項１の方法。
【請求項４】
前記好ましい符号化モードを選択する前記ステップは、ＭＰＥＧ−２コーデックにより実行される請求項１の方法。
【請求項５】
前記好ましい符号化モードを選択する前記ステップは、前記入力画像の前記サンプルを表す前記ビット数が８ビットであるという仮定の下に設計された第１のコーデックにより実行される請求項１の方法。
【請求項６】
前記入力画像の前記サンプルを表す前記ビット数は、１０ビットである請求項５の方法。
【請求項７】
前記第１の符号化モードに対応する前記第１の符号化モードの合計を計算するために前記第１のバイアス値が常に用いられるとともに、前記第２の符号化モードに対応する前記第２の符号化モードの合計を計算するために前記第２のバイアス値が常に用いられる請求項１の方法。
【請求項８】
前記一致基準は、差の絶対値の合計である請求項１の方法。
【請求項９】
前記複数のバイアス値のそれぞれをスケーリングする前記ステップは、バイアス値のそれぞれに４を乗じるステップを含む請求項１の方法。
【請求項１０】
前記バイアス値のそれぞれに４を乗じるステップは、バイアス値のそれぞれを２ビットだけ左へビットシフトするステップからなる請求項９の方法。
【請求項１１】
前記複数のバイアス値のそれぞれをスケーリングする前記ステップは、自動的に実行される請求項１の方法。
【請求項１２】
ビデオ圧縮システムにおいてビデオフレームを符号化するためにコンピュータ可読な媒体上に記憶された装置であって、  ビデオフレームに対応する入力画像であって所定のビット数により表されるサンプルを含む入力画像を受け取ることと、  第１の符号化モード及び第２の符号化モードを含む複数の符号化モードを提供することと、  前記第１の符号化モードに対応する第１のバイアス値及び前記第２の符号化モードに対応するとともに同第１のバイアス値と異なる第２のバイアス値を含む複数のバイアス値を提供することと、  前記入力画像の前記サンプルを表す前記ビット数の関数として前記複数のバイアス値のそれぞれをスケーリングすることと、  前記第１のバイアス値と一致基準とを足すことを含み、前記第１の符号化モードに対応する第１の符号化モードの合計を提供することと、  前記第２のバイアス値と一致基準とを足すことを含み、前記第２の符号化モードに対応する第２の符号化モードの合計を提供することと、  前記第１の符号化モードの合計及び前記第２の符号化モードの合計を含む複数の符号化モードの合計の最小値を選択することを含み、前記複数の符号化モードから好ましい符号化モードを選択することと、をコンピュータに実行させるための命令を備える装置。
【請求項１３】
前記入力画像の前記サンプルを表す前記ビット数は、１０ビットである請求項１２の装置。
【請求項１４】
前記ビデオ圧縮システムは、ＭＰＥＧ−２ビデオ圧縮システムである請求項１２の装置。
【請求項１５】
前記好ましい符号化モードを選択することを前記コンピュータに実行させるための前記命令は、ＭＰＥＧ−２コーデックを使用することを前記コンピュータに実行させるための命令を含む請求項１２の装置。
【請求項１６】
前記好ましい符号化モードを選択することを前記コンピュータに実行させるための前記命令は、前記入力画像の前記サンプルを表す前記ビット数が８ビットであるという仮定の下に設計された第１のコーデックを使用することを前記コンピュータに実行させるための命令を含む請求項１２の装置。
【請求項１７】
前記入力画像の前記サンプルを表す前記ビット数は、１０ビットである請求項１６の装置。
【請求項１８】
前記第１の符号化モードに対応する前記第１の符号化モードの合計を計算するために前記第１のバイアス値が常に用いられるとともに、前記第２の符号化モードに対応する前記第２の符号化モードの合計を計算するために前記第２のバイアス値が常に用いられる請求項１２の装置。
【請求項１９】
前記一致基準は、差の絶対値の合計である請求項１２の装置。
【請求項２０】
前記複数のバイアス値のそれぞれをスケーリングすることを前記コンピュータに実行させるための前記命令は、バイアス値のそれぞれに４を乗じることを前記コンピュータに実行させるための命令を含む請求項１２の装置。
【請求項２１】
前記バイアス値のそれぞれに４を乗じることを前記コンピュータに実行させるための前記命令は、バイアス値のそれぞれを２ビットだけ左へビットシフトすることを前記コンピュータに実行させるための命令を含む請求項２０の装置。
【請求項２２】
前記複数のバイアス値のそれぞれをスケーリングすることを前記コンピュータに実行させるための前記命令は、前記バイアス値のそれぞれを自動的にスケーリングすることを前記コンピュータに実行させるための命令を含む請求項１２の装置。
【請求項２３】
ビデオ圧縮システムにおいてビデオフレームを符号化するためのシステムであって、  ビデオフレームに対応する入力画像であって所定のビット数により表されるサンプルを含む入力画像を受け取る手段と、  第１の符号化モード及び第２の符号化モードを含む複数の符号化モードを提供する手段と、  前記第１の符号化モードに対応する第１のバイアス値及び前記第２の符号化モードに対応するとともに同第１のバイアス値と異なる第２のバイアス値を含む複数のバイアス値を提供する手段と、  前記入力画像の前記サンプルを表す前記ビット数の関数として前記複数のバイアス値のそれぞれをスケーリングする手段と、  前記第１のバイアス値と一致基準とを足す手段を含み、前記第１の符号化モードに対応する第１の符号化モードの合計を提供する手段と、  前記第２のバイアス値と一致基準とを足す手段を含み、前記第２の符号化モードに対応する第２の符号化モードの合計を提供する手段と、  前記第１の符号化モードの合計及び前記第２の符号化モードの合計を含む複数の符号化モードの合計の最小値を選択する手段を含み、前記複数の符号化モードから好ましい符号化モードを選択する手段と、を含むシステム。
【請求項２４】
前記入力画像の前記サンプルを表す前記ビット数は、１０ビットである請求項２３のシステム。
【請求項２５】
前記ビデオ圧縮システムは、ＭＰＥＧ−２ビデオ圧縮システムである請求項２３のシステム。
【請求項２６】
前記好ましい符号化モードを選択する前記手段は、ＭＰＥＧ−２コーデックを含む請求項２３のシステム。
【請求項２７】
前記好ましい符号化モードを選択する前記手段は、前記入力画像の前記サンプルを表す前記ビット数が８ビットであるという仮定の下に設計された第１のコーデックを含む請求項２３のシステム。
【請求項２８】
前記入力画像の前記サンプルを表す前記ビット数は、１０ビットである請求項２７のシステム。
【請求項２９】
前記第１の符号化モードに対応する前記第１の符号化モードの合計を計算するために前記第１のバイアス値が常に用いられるとともに、前記第２の符号化モードに対応する前記第２の符号化モードの合計を計算するために前記第２のバイアス値が常に用いられる請求項２３のシステム。
【請求項３０】
前記一致基準は、差の絶対値の合計である請求項２３のシステム。
【請求項３１】
前記複数のバイアス値のそれぞれをスケーリングする前記手段は、バイアス値のそれぞれに４を乗じることを含む請求項２３のシステム。
【請求項３２】
前記バイアス値のそれぞれに４を乗じる手段は、バイアス値のそれぞれを２ビットだけ左へビットシフトする手段からなる請求項３１のシステム。
【請求項３３】
前記複数のバイアス値のそれぞれをスケーリングする前記手段は、前記複数のバイアス値のそれぞれを自動的にスケーリングする手段を含む請求項２３のシステム。
【請求項３４】
ビット数により表される符号化精度を選択する手段と、  符号化モードのバイアスが使用されるか否かを調べる手段と、  前記符号化モードのバイアスが使用される場合、マクロブロック毎の符号化モードの決定のためのバイアス量を選択する手段と、  前記符号化モードのバイアスが使用される場合、前記符号化精度に適合するために前記バイアス量を自動的にスケーリングする手段と、  前記符号化モードのバイアスが使用される場合、前記マクロブロックを符号化するための符号化モードを選択する際に前記スケーリングされたバイアス量を適用する手段と、  前記符号化モードのバイアスが使用されない場合、複数の符号化モード候補のうちの第１の符号化モード候補で前記マクロブロックを符号化し、前記第１の符号化モード候補により生成されるビット数を決定する手段と、  前記符号化モードのバイアスが使用されない場合、前記マクロブロックを復号化し、前記第１の符号化モード候補によって解凍された結果を決定する手段と、  前記符号化モードのバイアスが使用されない場合、前記解凍された結果の質の測定値を生成する手段と、  前記符号化モードのバイアスが使用されない場合、前記複数の符号化モード候補から最良の符号化モードを選択する手段と、を含むシステム。
【請求項３５】
前記最良の符号化モードを選択する前記手段は、前記第１の符号化モード候補により生成される前記ビット数と、前記解凍された結果の前記質の測定値と、を比較して評価する手段を含む請求項３４のシステム。